【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
ユーザの１本以上の指に接触するのに適した１つ以上の表面を含むハンドルであって、
前記ハンドルは、半径方向に非対称であり、
前記１つ以上の表面が、前記ユーザの第１の指に接触するのに適した第１の表面と、前記ユーザの第２の指に接触するのに適した第２の表面とを含み、
前記１つ以上の表面のうちの少なくとも１つは、凹状形状を含み、
前記第２の表面は、隆起部によって前記第１の表面から分離されており、
前記ハンドルの体積は、ユーザの手が弛緩したときに該ユーザの湾曲した指、および該ユーザの手のひらの一部によって形成される空間の容積と実質的に同じであり、
前記ユーザの手のひらの一部が前記ユーザの手のひらの５０％以下を含み、任意により該記ユーザの手のひらの一部が前記ユーザの親指と小指とを結ぶ線よりも上方の部分である、
ハンドル。
【請求項２】
前記１つ以上の表面は、前記ユーザの第３の指に接触するのに適した第３の表面をさらに備え、任意により、前記第３の表面が前記第２の表面に隣接し、好適には、前記１つ以上の表面が、前記ユーザの第４の指に接触するのに適した第４の表面をさらに備え、任意により、前記第４の表面が前記第３の表面に隣接している、
請求項１に記載のハンドル。
【請求項３】
前記第２の表面、第３の表面、および第４の表面に隣接するキャビティをさらに備え、任意により、前記キャビティが、前記隆起部によって前記第１の表面から分離されている、
請求項１または請求項２に記載のハンドル。
【請求項４】
前記隆起部、前記第２の表面、および前記第３の表面に隣接する下面をさらに備える、
請求項２または請求項３に記載のハンドル。
【請求項５】
１つ以上の取り付け点をさらに含み、前記１つ以上の取り付け点のうちの少なくとも１つが、前記隆起部の上または内部に位置し、
前記１つ以上の取り付け点に取り付けられた１つ以上の器具をさらに含み、
（ａ）前記１つ以上の器具のうちの少なくとも１つが音楽用器具、手術器具、調理器具、およびスポーツ用具からなるグループから選択され、或いは、
（ｂ）前記器具が取り付けられた前記ハンドルが音楽用ツール、手術用ツール、調理用ツール、またはスポーツ用器材を含み、或いは、
（ｃ）前記器具がワンドであり、或いは、
（ｄ）前記器具がワンドであり、前記音楽用ツールがバトンであり、任意により、前記バトンが指揮棒であり、更に任意により、前記バトンが前記取り付け点またはその近傍にバランスポイントを含み、或いは、
（ｅ）前記器具が手術用メスであり、或いは、
（ｆ）前記器具が泡だて器であり、或いは、
（ｇ）前記器具が取り外し可能であり、
前記器具がワンドである場合、任意により、
（ａ）前記ワンドの質量が、1グラムと5グラムとの間または約1グラムと約5グラムとの間である、或いは、
（ｂ）前記ワンドの質量が、約2.5グラムである、或いは、
（ｃ）前記ワンドの長さが、5インチ（12.7 cm）と15インチ（38.1 cm）との間、または、約5インチ（12.7 cm）と約15インチ（38.1 cm）との間である、或いは、
（ｄ）前記ワンドの長さが、6インチ（15.24 cm）、または、約6インチである、或いは、
（ｅ）前記ワンドがガラス繊維を含む、或いは、
（ｆ）前記ワンドが炭素繊維を含む、或いは、
（ｇ）前記ワンドがテーパ状である、
請求項１から請求項４のいずれか一項に記載のハンドル。
【請求項６】
（ａ）前記隆起部の、前記取り付け点またはその近傍における厚さが、前記取り付け点の幅または直径の約1、1.5、2、2.5、3、3.5、または4倍である、或いは、
（ｂ）前記隆起部の、前記第１の表面と前記キャビティとの接合部における厚さが、前記取り付け点の幅または直径の約1倍、0.75倍、0.5倍、0.25倍、または0.1倍である、或いは、
（ｃ）前記隆起部の、前記第１の表面、前記第２の表面、前記第３の表面、および／または前記第４の表面との接合部における厚さが、前記取り付け点の幅または直径の約1倍、0.75倍、0.5倍、0.25倍、または0.1倍である、
請求項１から請求項５のいずれか一項に記載のハンドル。
【請求項７】
前記隆起部がテーパを有し、任意には、前記テーパが、漸進的および／または連続的である、
請求項１から請求項６のいずれか一項に記載のハンドル。
【請求項８】
（ａ）前記ハンドルの体積が、1in3と8in3との間、または、約1in3と約8in3との間である、或いは、
（ｂ）前記ハンドルの体積が、2in3と6in3との間、または、約2in3と約6in3との間である、或いは、
（ｃ）前記ハンドルの体積が、2in3と4in3との間、または、約2in3と約4in3との間である、或いは、
（ｄ）前記ハンドルの体積が、2in3、または、約2in3である、或いは、
（ｅ）前記ハンドルの体積が、2.25in3、または、約2.25in3である、
請求項１から請求項７のいずれか一項に記載のハンドル。
【請求項９】
表面および／または前記ハンドルの１つ以上の寸法が、約１インチと約４インチとの間であり、任意には、前記１つ以上の寸法のうちの少なくとも１つが、高さ、長さ、幅、半径、直径、または円周を含み、更に、任意には、
（a）前記ハンドルの高さが、0.5インチ（1.27cm）と4インチ(10.16cm)との間、または、約0.5インチ（1.27cm）と約4インチ(10.16cm)との間である、或いは、
（b）前記ハンドルの長さが、0.5インチ（1.27cm）と3インチ(7.62cm)との間、または、約0.5インチ（1.27cm）と約3インチ(7.62cm)との間である、或いは、
（c）前記ハンドルの幅は、0.5インチ（1.27cm）と3インチ(7.62cm)との間、または、約0.5インチ（1.27cm）と約3インチ(7.62cm)との間である、或いは、
（d）前記ハンドルの高さが約2.5インチ(6.35cm)であり、前記ハンドルの長さが約1インチ（2.54cm）であり、前記ハンドルの幅が約1.5インチ（3.81cm）である、
請求項１から請求項８のいずれか一項に記載のハンドル。
【請求項１０】
（ａ）前記第１の指が、親指、人差し指、中指、薬指、または小指である、或いは、
（ｂ）前記第２の指が、親指、人差し指、中指、薬指、または小指である、或いは、
（ｃ）前記第３の指が、親指、人差し指、中指、薬指、または小指である、或いは、
（ｄ）前記第４の指が、親指、人差し指、中指、薬指、または小指である、或いは、
（ｅ）前記第１の指が親指である、或いは、
（ｆ）前記第２の指が人差し指である、或いは、
（ｇ）前記第３の指が中指である、或いは、
（ｈ）前記第４の指が薬指である、
請求項１から請求項９のいずれか一項に記載のハンドル。
【請求項１１】
（ａ）前記ハンドルの質量が、1グラムと50グラムとの間、または、約1グラムと約50グラムとの間である、或いは、
（ｂ）前記ハンドルの質量が、10グラムと30グラムとの間、または、約10グラムと約30グラムとの間である、或いは、
（ｃ）前記ハンドルの質量が、15グラムと25グラムとの間、または、約15グラムと約25グラムとの間である、或いは、
（ｄ）前記ハンドルの質量が、1グラムと50グラムとの間、または、約1グラムと約50グラムとの間である、或いは、
（ｅ）前記ハンドルの質量が、約20グラムである、
請求項１から請求項１０のいずれか一項に記載のハンドル。
【請求項１２】
（ａ）前記第１の表面および前記第２の表面がそれぞれ、凹状形状を備える、或いは、
（ｂ）前記第１の表面、前記第２の表面、および前記第３の表面のうちの少なくとも２つが、凹状形状を備える、或いは、
（ｃ）前記第１の表面、前記第２の表面、前記第３の表面、および前記第４の表面のうちの少なくとも２つが、凹状形状を備える、或いは、
（ｄ）前記第１の表面、前記第２の表面、前記第３の表面、前記第４の表面、前記キャビティ、および前記下面のうちの少なくとも２つが、凹状形状を備える、或いは、
（ｅ）前記第１の表面、前記第２の表面、前記第３の表面、前記第４の表面、前記キャビティ、および前記下面がそれぞれ、凹状形状を備える、請求項１から請求項１１のいずれか一項に記載のハンドル。
【請求項１３】
前記ハンドルが滑らかな縁部を含み、任意には、前記ハンドルが、部分的にまたは実質的に中空であり、更に任意には、前記ハンドルが塗装および／またはラッカー塗装されている、
請求項１から請求項１２のいずれか一項に記載のハンドル。
【請求項１４】
前記ハンドルが、樹脂、硬化剤、および充填剤のうちの少なくとも１つを含み、
前記ハンドルが前記樹脂を含む場合、任意には、
（ａ）前記樹脂が、エポキシ樹脂、ビニルエステル樹脂、液体プラスチックキャスティング樹脂、ポリウレタン、シリコーン、アクリル、およびポリエステルからなるグループから選択され、或いは、
（ｂ）前記樹脂がエポキシ樹脂を含み、或いは、
（ｃ）前記樹脂が３０分硬化型のエポキシ樹脂を含み、或いは、
（ｄ）前記エポキシ樹脂が、アルキレンオキシド、アルケニルオキシド、グリシジルエステル、エポキシノボラック、アクリル酸のコポリマー、グリシドールのエステル、共重合性ビニル化合物、ポリウレタン、ポリウレタンポリエポキシド、およびそれらの混合物からなるグループから選択され、或いは、
（ｅ）前記樹脂がビニルエステル樹脂を含み、
前記ハンドルが前記硬化剤を含む場合、任意には、
（ａ）前記硬化剤が、エポキシ硬化剤、フェノールアルカミン、芳香族アミン、変性アミン、脂肪族アミン、変性脂肪族アミン、環状脂肪族アミン、イミダゾール、重合カプタン剤、液体重合カプタン、ポリ硫化物樹脂、フェノール樹脂、無水物、潜在硬化剤、三フッ化ホウ素‐アミン錯体、ジシアンジアミド、有機酸ヒドラジド、水性剤、ポリアミン、変性ポリアミン、光硬化剤、紫外線硬化剤、およびそれらの混合物からなるグループから選択され、或いは、
（ｂ）前記硬化剤がエポキシ硬化剤を含み、或いは、
（ｃ）前記硬化剤が３０分硬化型のエポキシ硬化剤を含み、或いは、
（ｄ）前記硬化剤がビニルエステル硬化剤を含み、
前記ハンドルが前記充填剤を含む場合、任意には、
（ａ）前記充填剤が、ガラス微粒子、マイクロガラス球、マイクロガラスビーズ、シリカ、ガラス織布、ガラス繊維織布、炭素繊維織布、ケブラー、設置発泡体、ポリウレタン、液体プラスチックキャスティング樹脂、ナノ粒子、ナノ金属、ナノファイバー、マイクロファイバー、エポキシ、コルク、カーボンナノチューブ、グラフェン、セラミック、セルロース、ポリエステル織布、ポリエステル不織布、ガラス織布、ガラス不織布、ガラスフリット不織布、セラミックフリット、金属織スクリーン、金属不織スクリーン、シルクタンパク質、スパイダーシリカ、炭素繊維、ガラス、ファイバーガラス、プラスチック、無機粒子、無機微粒子、中空無機微粒子、ジルコニア、象牙、植物性象牙、カオリン、ゴム、銀、鉄、鋼鉄、ラテックス、熱発泡粉末、および弾性繊維からなるグループから選択され、或いは、
（ｂ）前記充填剤がガラス微粒子を含み、或いは、
（ｃ）前記充填剤がガラス織布を含み、任意には、前記ガラス織布が約18g/m3であり、更に任意には、前記ガラス織布が、30°と60°との間、または、約30°と約60°との間の角度の織りパターンを含み、更に任意には、前記ガラス織布が、約45°の角度の織りパターンを含む、
請求項１から請求項１３のいずれか一項に記載のハンドル。
【請求項１５】
前記ハンドルが、前記ユーザの右手に接触するのに適している、或いは、前記ハンドルが前記ユーザの左手に接触するのに適している、
請求項１から請求項１４のいずれか一項に記載のハンドル。
【請求項１６】
高スループット製造方法を使用することを含む、
請求項１から請求項１５のいずれか一項に記載のハンドルの製造方法。
【請求項１７】
（ａ）高スループット製造方法が、３Ｄ印刷、４Ｄ印刷、スタンピング、ブロー成形、および／または射出成形を含む、或いは、
（ｂ）前記高スループット製造方法が、３Ｄ印刷および／または４Ｄ印刷を含む、或いは、
（ｃ）前記ハンドルが、空隙を含むように３Ｄ印刷および／または４Ｄ印刷される、および／または、部分的または実質的に中空である、或いは、
（ｄ）高スループット製造方法が、射出成形を含む、
請求項１６に記載の方法。
【請求項１８】
器具が前記ハンドルと同時に製造され、
任意には、前記ハンドルおよび器具が、単一のユニットとして製造される、
請求項１６または請求項１７に記載のハンドルの製造方法。
【請求項１９】
前記ハンドルが樹脂を含む場合、
（ａ）前記樹脂が、エポキシ樹脂、ビニルエステル樹脂、液体プラスチックキャスティング樹脂、ポリウレタン、シリコーン、アクリル、およびポリエステルからなるグループから選択され、或いは、
（ｂ）前記樹脂がエポキシ樹脂を含み、或いは、
（ｃ）前記樹脂が３０分硬化型のエポキシ樹脂を含み、或いは、
（ｄ）前記エポキシ樹脂が、アルキレンオキシド、アルケニルオキシド、グリシジルエステル、エポキシノボラック、アクリル酸のコポリマー、グリシドールのエステル、共重合性ビニル化合物、ポリウレタン、ポリウレタンポリエポキシド、およびそれらの混合物からなるグループから選択され、或いは、
（ｅ）前記樹脂がビニルエステル樹脂を含み、
前記ハンドルが硬化剤を含む場合、
（ａ）前記硬化剤が、エポキシ硬化剤、フェナルカミン、芳香族アミン、変性アミン、脂肪族アミン、変性脂肪族アミン、環状脂肪族アミン、イミダゾール、重合カプタン剤、液体重合カプタン、ポリ硫化物樹脂、フェノール樹脂、無水物、潜在硬化剤、三フッ化ホウ素‐アミン錯体、ジシアンジアミド、有機酸ヒドラジド、水性剤、ポリアミン、変性ポリアミン、光硬化剤、紫外線硬化剤、およびそれらの混合物からなるグループから選択され、或いは、
（ｂ）前記硬化剤がエポキシ硬化剤を含み、或いは、
（ｃ）前記硬化剤が３０分硬化型のエポキシ硬化剤を含み、或いは、
（ｄ）前記硬化剤がビニルエステル硬化剤を含み、
前記ハンドルが充填剤を含む場合、
（ａ）前記充填剤が、ガラス微粒子、マイクロガラス球、マイクロガラスビーズ、シリカ、ガラス織布、ガラス繊維織布、炭素繊維織布、ケブラー、設置フォーム、ポリウレタン、ナノ粒子、ナノ粒子、ナノ金属、ナノファイバー、エポキシ、木材、コルク、カーボンナノチューブ、グラフェン、セラミック、セルロース、ポリエステル織布、ポリエステル不織布、ガラス織布、ガラス不織布、ガラスフリット不織布、セラミックフリット、金属織スクリーン、金属不織スクリーン、シルクタンパク質、スパイダーシリカ、炭素繊維、ガラス、ファイバーガラス、プラスチック、無機粒子、無機微粒子、中空無機微粒子、ジルコニア、象牙、植物性象牙、カオリン、ゴム、銀、鉄、鋼鉄、ラテックス、熱発泡粉末、および弾性繊維からなるグループから選択される、或いは、
（ｂ）前記充填剤がガラス微粒子を含む、或いは、
（ｃ）前記充填剤がガラス織布を含み、任意には、前記ガラス織布が約18g/m3であり、更に任意には、前記ガラス織布が、30°と60°との間、または、約30°と約60°との間の角度の織りパターンを含み、更に任意には、前記ガラス織布が約45°の角度の織りパターンを含む、
請求項１６から請求項１８のいずれか一項に記載のハンドルの製造方法。
【請求項２０】
（ａ）前記充填剤が、前記インプリント混合物および／または初期混合物の約２０％を含む、或いは、
（ｂ）前記インプリント混合物および／または初期混合物が、5グラムと10グラムとの間、または、約5グラムと約10グラムとの間の充填剤を含む、或いは、
（ｃ）前記インプリント混合物および／または初期混合物が、約7.5グラムの充填剤を含む、
請求項１６から請求項１９のいずれか一項に記載のハンドルの製造方法。